(57)【特許請求の範囲】
【請求項１】
ユーザによる処理用情報の設定を受け付ける受付部と、
前記受付部によって前記処理用情報を受け付けた後の前記ユーザによるスワイプ操作またはフリック操作を検出する検出部と、
前記検出部によって検出した操作の方向に応じたアプリケーションに前記処理用情報の処理を実行させる処理部と、
表示部の表示領域のうち、前記ユーザにより設定された前記処理用情報を表示する第１の表示領域と区画された第２の表示領域であって、前記操作の方向に対応する位置に前記アプリケーションを示す画像を表示する表示制御部と、
複数のアプリケーションのそれぞれと前記操作の方向を示す識別符号のそれぞれとが１対１で対応付けられて設定された関連設定情報を記憶する記憶部と、
を備え、
前記表示制御部は、
前記操作の方向を示す画像を、前記操作の方向に対応する位置に表示された前記アプリケーションを示す画像に近接させて前記第２の表示領域に表示するとともに、
前記処理部は、
前記記憶部に記憶された前記関連設定情報に基づき、前記検出部によって検出した前記操作の方向に応じたアプリケーションを選択し、選択した当該アプリケーションに前記処理用情報の処理を実行させる
ことを特徴とする情報処理装置。
【請求項２】
前記ユーザによるアプリケーションの使用頻度に応じて前記操作の方向に関連付けるアプリケーションを決定し、当該決定した結果に基づいて前記関連設定情報を前記記憶部に記憶する設定部を備える
ことを特徴とする請求項１に記載の情報処理装置。  
【請求項３】
前記表示制御部は、
ユーザによる前記処理用情報の設定が前記受付部によって受け付けられた場合、前記アプリケーションを示す前記画像を前記表示部に表示する
ことを特徴とする請求項１または２に記載の情報処理装置。  
【請求項４】
前記受付部は、
前記ユーザによる付加情報の設定を受け付け、
前記処理部は、
前記検出部によって検出した前記操作の方向に応じたアプリケーションに前記処理用情報と前記付加情報の処理を実行させる
ことを特徴とする請求項１〜３のいずれか一つに記載の情報処理装置。  
【請求項５】
前記処理部は、
前記アプリケーションによる前記処理用情報の処理結果を表示部に表示させる
ことを特徴とする請求項１〜４のいずれか一つに記載の情報処理装置。  
【請求項６】
コンピュータが実行する情報処理方法であって、
ユーザによる処理用情報の設定を受け付ける受付工程と、
前記受付工程によって前記処理用情報を受け付けた後の前記ユーザによるスワイプ操作またはフリック操作を検出する検出工程と、
前記検出工程によって検出した操作の方向に応じたアプリケーションに前記処理用情報の処理を実行させる処理工程と、
表示部の表示領域のうち、前記ユーザにより設定された前記処理用情報を表示する第１の表示領域と区画された第２の表示領域であって、前記操作の方向に対応する位置に前記アプリケーションを示す画像を表示する表示工程と、
複数のアプリケーションのそれぞれと前記操作の方向を示す識別符号のそれぞれとが１対１で対応付けられて設定された関連設定情報を記憶する記憶工程と、
を含み、
前記表示工程は、
前記操作の方向を示す画像を、前記操作の方向に対応する位置に表示された前記アプリケーションを示す画像に近接させて前記第２の表示領域に表示するとともに、
前記処理工程は、
前記記憶工程において記憶された前記関連設定情報に基づき、前記検出工程によって検出した前記操作の方向に応じたアプリケーションを選択し、選択した当該アプリケーションに前記処理用情報の処理を実行させる
ことを特徴とする情報処理方法。  
【請求項７】
コンピュータに、
ユーザによる処理用情報の設定を受け付ける受付手順と、
前記受付手順によって前記処理用情報を受け付けた後の前記ユーザによるスワイプ操作またはフリック操作を検出する検出手順と、
前記検出手順によって検出した操作の方向に応じたアプリケーションに前記処理用情報の処理を実行させる処理手順と、
表示部の表示領域のうち、前記ユーザにより設定された前記処理用情報を表示する第１の表示領域と区画された第２の表示領域であって、前記操作の方向に対応する位置に前記アプリケーションを示す画像を表示する表示手順と、
複数のアプリケーションのそれぞれと前記操作の方向を示す識別符号のそれぞれとが１対１で対応付けられて設定された関連設定情報を記憶する記憶手順と、
を実行させ、
前記表示手順は、
前記操作の方向を示す画像を、前記操作の方向に対応する位置に表示された前記アプリケーションを示す画像に近接させて前記第２の表示領域に表示するとともに、
前記処理手順は、
前記記憶手順において記憶された前記関連設定情報に基づき、前記検出手順によって検出した前記操作の方向に応じたアプリケーションを選択し、選択した当該アプリケーションに前記処理用情報の処理を実行させる
ことを特徴とする情報処理プログラム。
【発明の詳細な説明】
【技術分野】
【０００１】
本発明は、情報処理装置、情報処理方法および情報処理プログラムに関する。
【背景技術】
【０００２】
従来、情報処理装置の一例として、例えば、スマートフォンなどに代表される携帯端末がある。これらの携帯端末では、ユーザが直感的に操作できるように工夫がなされていることが多い。
【０００３】
例えば、タッチパネルが設けられた表示部に所定のデータに対応するアイコンが表示されているときに、所定のタッチ操作により送信操作を受け付け、記憶された電話帳データに登録されている特定の通信情報に基づいて、アイコンに対応するデータを送信する通信端末がある（例えば、特許文献１を参照）。
【先行技術文献】
【特許文献】
【０００４】
【特許文献１】特開２０１４−１３５５７８号公報
【発明の概要】
【発明が解決しようとする課題】
【０００５】
しかしながら、近年の携帯端末では、データ送信のみならず、例えば様々な情報検索を行う際の操作性の向上が求められる。従来、情報検索を実行しようとすると、例えば、検索する情報を選択する操作、検索アプリケーションを選択するための選択画面を表示する操作、アプリケーションを選択する操作など、少なくとも３回の操作が必要となる。
【０００６】
本願は、上記に鑑みてなされたものであって、ユーザ操作の負担を軽減することができる情報処理装置、情報処理方法および情報処理プログラムを提供することを目的とする。
【課題を解決するための手段】
【０００７】
本願に係る情報処理装置は、受付部と、検出部と、処理部と、表示制御部とを備える。受付部は、ユーザによる処理用情報の設定を受け付ける。検出部は、前記受付部によって前記処理用情報を受け付けた後の前記ユーザによるスワイプ操作またはフリック操作を検出する。処理部は、前記検出部によって検出した前記操作の方向に応じたアプリケーションに前記処理用情報の処理を実行させる。表示制御部は、表示部の表示領域のうち、前記ユーザにより設定された前記処理用情報を表示する第１の表示領域と区画された第２の表示領域であって、前記操作の方向に対応する位置に前記アプリケーションを示す画像を表示する。また、表示制御部は、前記操作の方向を示す画像を、前記操作の方向に対応する位置に表示された前記アプリケーションを示す画像に近接させて前記第２の表示領域に表示する。
【発明の効果】
【０００８】
実施形態の一態様によれば、ユーザによる操作負担を軽減する情報処理装置、情報処理方法および情報処理プログラムを提供することができる。
【図面の簡単な説明】
【０００９】
【図１】図１は、実施形態に係る情報処理装置の概要を示す説明図である。
【図２】図２は、実施形態に係る情報処理装置の構成例を示すブロック図である。
【図３】図３は、アプリケーションと操作方向とが関連付けられる設定情報を示す説明図である。
【図４】図４は、実施形態に係る情報処理装置の処理の一例を示すフローチャートである。
【図５Ａ】図５Ａは、実施形態に係る情報処理装置のカスタマイズ操作を含む操作例の一部を示す説明図である。
【図５Ｂ】図５Ｂは、実施形態に係る情報処理装置のカスタマイズ操作を含む操作例の一部を示す説明図である。
【図５Ｃ】図５Ｃは、実施形態に係る情報処理装置のカスタマイズ操作を含む操作例の一部を示す説明図である。
【図６Ａ】図６Ａは、表示レイヤーの一例を示す説明図である。
【図６Ｂ】図６Ｂは、表示レイヤーを用いた表示態様の一例を示す説明図である。
【図７】図７は、他の実施形態に係る情報処理装置による検索処理の一例を示す説明図である。
【図８】図８は、情報処理装置の機能を実現するコンピュータの一例を示すハードウェア構成図である。
【発明を実施するための形態】
【００１０】
以下に、本願に係る情報処理装置、情報処理方法および情報処理プログラムの実施形態について図面を参照しつつ詳細に説明する。なお、この実施形態により本願に係る情報処理装置、情報処理方法および情報処理プログラムが限定されるものではない。また、以下の各実施形態においては、同一の部位には同一の符号を付し、重複する説明は省略する。
【００１１】
［１．情報処理装置の概要］
まず、実施形態に係る情報処理装置の概要について説明する。図１は、実施形態に係る情報処理装置の概要を示す説明図である。なお、以下においては、実施形態に係る情報処理装置を、いわゆる「スマートフォン」と呼ばれる携帯端末１として説明するが、タブレットコンピュータなどのスマートデバイスであっても構わない。
【００１２】
図１に示すように、携帯端末１は、筐体の主面側にタッチパネル１００が設けられる。タッチパネル１００は、入力部および表示部としての機能を有し、携帯端末１のユーザは、タッチパネル１００の画面上を指Ｆで操作することで様々な処理を実行することができる。なお、画面操作は、指Ｆに代えてタッチペン（不図示）などの入力デバイスを用いることもできる。
【００１３】
携帯端末１は、それぞれが特定の処理を実行することのできる複数のアプリケーションソフトウェア（以下「アプリケーション」あるいは「アプリ」とする場合がある）がインストールされている。アプリケーションとしては、例えば、通話アプリ、ブラウザアプリ、検索アプリ、メールアプリ、メモアプリ、ゲームアプリ、音楽再生アプリ、画像再生アプリ、撮像アプリなど、様々な種類のものがある。
【００１４】
タッチパネル１００に表示される画面のうち、いわゆる「ホーム画面」と呼ばれる画面には、複数のアプリケーションにそれぞれ対応する画像（以下では「アイコン」と記す場合がある）が配置される。携帯端末１のユーザは、かかるアイコンをタップすることでアプリケーションを選択して起動させたり、画面上におけるスワイプ操作やフリック操作により表示ページをめくったりするなど、各種操作を行うことができる。ここで、タップ操作とは、画面を指やタッチペンなどの入力デバイスで軽く叩く動作であり、スワイプ操作、フリック操作とは、共に画面に触れた状態で指や入力デバイスを一定の方向へ滑らせる操作を指す。なお、以下では、スワイプ操作およびフリック操作を併せてスライド操作と呼ぶ場合がある。
【００１５】
本実施形態に係る携帯端末１は、タッチパネル１００の画面上におけるユーザのスワイプ操作またはフリック操作を検出し、検出したユーザによる操作の方向に応じたアプリケーションにユーザが設定した情報の処理を実行させることができる。
【００１６】
ここで、ユーザが設定した情報とは、例えば、ユーザが入力したテキストや画像などの各種情報、タッチパネル１００の画面上に表示されたテキストや画像などの各種情報からユーザが選択した情報が含まれる。
【００１７】
また、アプリケーションに情報の処理を実行させるというのは、検索アプリであれば、処理用情報（ユーザが設定した情報）の検索処理を指す。なお、情報処理が検索処理の場合、例えば、「ウェブ検索」、「辞書検索」、「画像検索」、「動画検索」、または「地図検索」など、より細分化された検索処理が含まれる。
【００１８】
また、メールアプリであれば、例えばメール作成フォームに含まれる「件名」や「本文」への特定情報の入力処理や、特定情報が画像などであればメールへの添付処理を指す。
【００１９】
ここで、例えば、特定の言葉の意味を検索しようとする場合について説明する。すなわち、ユーザが携帯端末１を用いて所定のウェブサイトを閲覧している際に、タッチパネル１００の画面上に表示されたウェブページに含まれるテキスト情報の中から、特定の言葉の意味を検索しようとする場合である。
【００２０】
従来であれば、ユーザは、特定の言葉を示す文字列の選択操作、検索アプリの表示操作、複数表示された検索アプリの中から辞書アプリを選択する操作などが必要であった。
【００２１】
そこで、本実施形態に係る携帯端末１では、所定のアプリに対し、より簡便な操作で所望する処理を実行させることができるようにした。
【００２２】
すなわち、図１に示すように、画面中の選択範囲２１０には文字列「ａｂｃｄ」が含まれている。かかる文字列「ａｂｃｄ」は、ユーザにより設定された処理用情報の一例であり、ユーザが画面上において、指Ｆによる操作によって選択したものである。ユーザによる選択操作時に、タッチパネル１００の上側および下側の表示領域には、それぞれ、横長のアイコン列２２０，２３０が表示される。
【００２３】
アイコン列２２０，２３０に含まれる各アイコンは、設定されたアプリケーションに対応する画像であり、上側のアイコン列２２０にアイコンＡ，Ｂ，Ｃが表示され、下側のアイコン列２３０にはアイコンＤ，Ｅ、Ｆが表示される。
【００２４】
そして、表示部であるタッチパネル１００上には、操作の方向を示す矢印画像２４０が各アイコンにそれぞれ対応付けられて表示される。本実施形態では、操作方向を示す矢印画像２４０が、対応するアイコンの直下あるいは直上に近接表示される。
【００２５】
このように、本実施形態に係る携帯端末１では、ユーザにより処理用情報が選択されて情報設定がなされると、その情報設定に基づき、画面上には、それぞれアプリケーションに対応するアイコンＡ〜Ｃ、Ｄ〜Ｆを含むアイコン列２２０，２３０が表示される。このように、アイコン列２２０，２３０は、必要時に自動的に表示されるため、通常は、かかる画像が表示画面の視認性を低下させることがない。しかも、ユーザは、次のステップでは、自身で設定した処理用情報を表示されたアイコンＡ〜Ｆに受け渡せばいいことを直感的に把握しやすくなる。
【００２６】
アイコン列２２０，２３０に含まれる６つのアプリのうち、例えば、上側のアイコン列２２０の右側に位置するアイコンＣが辞書アプリであったとする。ユーザは、アイコンＣの方向に向けて、すなわち、右斜め上を指す矢印画像２４０に倣って、指Ｆを右斜め上方向に向けてスライド操作すれば、辞書アプリによって「ａｂｃｄ」の文字列からなる情報の検索を行うことができる。また、上側のアイコン列２２０の中央に位置するアイコンＢが画像検索アプリであって、ユーザが指Ｆを直上方向にスライド操作して画像検索アプリに処理を実行させると、処理用情報である「ａｂｃｄ」と画像検索のＵＲＬとがブラウザに引き渡されて画像検索が行われることになる。
【００２７】
このように、本実施形態に係る携帯端末１は、ユーザによる情報の設定を受け付け、情報を受け付けた後のユーザによるスライド操作（スワイプ操作またはフリック操作）を検出し、検出された操作の方向に応じたアプリケーションに情報の処理を実行させることができる。
【００２８】
また、処理用情報について処理を実行したアプリは、処理結果をタッチパネル１００の画面上に表示する。例えば、ユーザによるスライド操作の方向に応じたアプリが画像検索アプリであれば、画像検索アプリが起動して「ａｂｃｄ」の文字列からなる情報に関して検索し、その検索結果が画面上に表示される。
【００２９】
こうして、本実施形態に係る携帯端末１では、「選択操作」から所望するアプリによる検索処理までを、指Ｆによる一連の動作で素早く行うことができ、操作性を向上させることができる。また、アプリによる処理結果も自動的に表示されるため、利便性も高めることができる。
【００３０】
また、本実施形態に係る携帯端末１では、図示するように、６つのアイコンＡ〜Ｆが、タッチパネル１００の表示領域中、上側領域および下側領域に配置されているため、指Ｆによるスライド操作は、右の指Ｆ（Ｒ）でも左の指Ｆ（Ｌ）でもいずれでも支障なく操作可能である。
【００３１】
さらに、上側領域および下側領域の各アイコン列に含ませるアイコンを３つとし、操作方向についても、左右各斜め方向、上下方向と大きく区分されるため、誤操作のおそれも少ない。なお、ここでは６つのアプリが割付けられているが、数は限定されるものではなく、スライド操作に特に支障のない限り、６つ以上であっても６つ以下であってもよい。
【００３２】
ところで、上述した例では、処理用情報は、所定のウェブサイトの中で設定されたが、例えば、検索アプリを実行中に表示された言葉などを、同じ検索アプリに処理させることも可能である。すなわち、処理用情報が設定されるアプリと、処理用情報を引き渡されて処理するアプリとは同じアプリであっても構わない。
【００３３】
また、検索処理結果が表示された際に、例えば画面最上部に表示された戻り操作ボタン１７、あるいはタッチパネル１００の下方に配置された物理的なホームボタン１８などを操作することにより、文字列「ａｂｃｄ」を選択中の画面に戻ることができる。したがって、例えばアイコンＣに対応する「辞書アプリ」で満足する検索結果が得られず、さらなる他の検索結果を得たい場合などは、改めて他のアプリに検索処理を行わせることができる。すなわち、他のアイコンＡ，Ｂ，Ｄ〜Ｆの中で、検索アプリに対応するアイコンがあれば、それに対応する方向にスライド操作を行うことで、引き続き他のアプリによる検索処理を行うことができる。
【００３４】
［２．携帯端末１の構成］
次に、情報処理装置としての携帯端末１の具体的な構成について説明する。図２は、実施形態に係る携帯端末１の構成例を示すブロック図、図３は、アプリケーションと操作方向とが関連付けられる設定情報を示す説明図である。
【００３５】
図２に示すように、携帯端末１は、制御部１０と、第１通信部１１と、第２通信部１２と、位置情報取得部１３と、入力部１４と、表示部１５と、記憶部１６とを備える。なお、入力部１４としての機能の一部と表示部１５としての機能は、タッチパネル１００により実現される。
【００３６】
第１通信部１１は、ネットワーク４に接続され、ネットワーク４を介してサーバ５との間で通信を行う。また、第２通信部１２は、携帯電話通信網２に接続され、携帯電話通信網２を介して携帯電話基地局３との間で通信を行う。なお、第１通信部１１および第２通信部１２は、ネットワーク４および携帯電話通信網２との接続をそれぞれ無線で行う。
【００３７】
位置情報取得部１３は、たとえばＧＰＳ（Global  Positioning  System）受信部であり、ＧＰＳ衛星から送出される電波を受信し、受信した電波に基づいて携帯端末１の現在位置を示す位置情報（例えば、緯度及び経度）を取得する。
【００３８】
入力部１４は、ユーザから各種操作を受け付ける入力デバイスであり、その機能の一部はタッチパネル１００により実現されるが、例えば、電源ボタン、ホームボタン１８（図１参照）、ユーザの発話を受け付けるマイクなどによっても実現される。なお、ホームボタン１８は、ホーム画面へ遷移するためのボタンであるが、所定のアプリなどが起動している場合は、「戻る」ボタンとして機能する場合もある。
【００３９】
表示部１５は、各種情報を表示するための表示デバイスであり、ここでは、タッチパネル１００により実現される。すなわち、タッチパネル１００は、表示デバイスである液晶パネルなどの表示パネルと、バックライトなどの光源と、タッチセンサなどを備える。
【００４０】
記憶部１６は、例えば、ＲＡＭ（Random  Access  Memory）、フラッシュメモリ（Flash  Memory）などの半導体メモリ素子などによって実現される。記憶部１６には、上述した複数のアプリケーションのそれぞれと、ユーザによるスライド操作の方向のそれぞれとを関連付ける関連設定情報を記憶するとともに、携帯端末１に必要な各種情報が記憶される。また、記憶部１６は、記憶されている各種アプリの使用回数を記憶する。
【００４１】
制御部１０は、ＣＰＵ（Central  Processing  Unit）やＭＰＵ（Micro  Processing  Unit）などによって、記憶部１６に記憶されているプログラムがＲＡＭを作業領域として実行されることにより実現される。また、制御部１０は、例えば、ＡＳＩＣ（Application  Specific  Integrated  Circuit）やＦＰＧＡ（Field  Programmable  Gate  Array）などの集積回路により実現される。
【００４２】
かかる制御部１０は、主制御部１１０と、受付部１２０と、検出部１３０と、処理部１４０と、アプリ部１５０と、設定部１６０と、アプリ表示制御部１７０と、通話制御部１８０と、音声認識部１９０とを有する。
【００４３】
そして、制御部１０は、以下に説明する情報処理の機能や作用を実現または実行することができる。なお、制御部１０の内部構成は、図２に示した構成に限られず、後述する情報処理を行う構成であれば他の構成であってもよい。
【００４４】
主制御部１１０は、たとえば記憶部１６に記憶されているＯＳ（Operating  System）が制御部１０によって実行されることにより実現される。主制御部１１０は、例えば、携帯端末１の電話機としての基本機能を制御する他、タッチパネル１００により各種操作が受け付けられて様々なイベントが発生した場合に、イベントの発生を予め登録されたアプリ部１５０へ通知する処理も行う。さらに、主制御部１１０は、タッチパネル１００における光源の調整や音量調整などを含む制御を行う。
【００４５】
受付部１２０は、記憶部１６に記憶されている設定受付プログラムが制御部１０によって実行されることにより実現され、ユーザによる情報の設定を受け付ける。本実施形態におけるユーザによる情報の設定とは、例えば、タッチパネル１００を介したユーザのタッチ操作に応じて特定された情報を選択し、これを一時的に保持する処理である。
【００４６】
検出部１３０は、受付部１２０によってユーザが設定した情報（処理用情報）を受け付けた後のユーザによるスライド操作（スワイプ操作またはフリック操作）を検出することができる。
【００４７】
処理部１４０は、記憶部１６に記憶されている処理プログラムが制御部１０によって実行されることにより実現され、検出部１３０によって検出したスライド操作の方向に応じたアプリに、受付部１２０で受付けられた処理用情報の処理を実行させる。
【００４８】
このとき、処理部１４０は、記憶部１６に記憶された関連設定情報、すなわち、複数のアプリのそれぞれとスライド操作の方向のそれぞれとが関連付けられた情報に基づき、検出部１３０によって検出したスライド操作の方向に応じたアプリを選択する。
【００４９】
すなわち、図３に示すように、記憶部１６には、アプリケーションとスライド操作方向との関連情報を示すテーブルが記憶されている。かかるテーブルには、アプリの配置を示す識別番号［１］〜［６］と、アプリＩＤと、操作方向を示す識別符号（矢印で表示）とが含まれる。識別番号［１］〜［６］とアプリＩＤと識別符号とは、それぞれ関連付けられている。処理部１４０は、かかるテーブルに基づいて、ユーザによるスライド操作方向に対応するアプリケーションを特定し、特定したアプリケーションに所定の処理を実行させる。
【００５０】
例えば、本実施形態においては、タッチパネル１００の表示領域の上部に横一列に配置されたアプリＡ〜Ｃ（図１を参照）は検索アプリ群を構成しており、図３に示すように、操作方向が斜め左上方向に対応付けられたアプリＡはウェブ検索処理を実行する。また、操作方向が直上方向に対応付けられたアプリＢは画像検索処理を実行する。そして、操作方向が斜め右上方向に対応付けられたアプリＣは辞書検索処理を実行する。
【００５１】
また、タッチパネル１００の表示領域の下部に横一列に配置されたアプリＤ〜Ｆ（図１を参照）は、それぞれ独立したアプリである。例えば、図３に示すように、操作方向が斜め左下方向に対応付けられたアプリＤはメモ帳アプリであって、メモ機能を実行する。また、操作方向が直下方向に対応付けられたアプリＥはメールアプリであって、メール作成機能を実行する。そして、操作方向が斜め右下方向に対応付けられたアプリＦはゲームアプリであって、設定された複数のゲームの中から所望するゲームを実行する。なお、本実施形態に係る携帯端末１では、識別番号［１］〜［６］に対応する６つのアプリは、後述する設定部１６０により設定される。
【００５２】
また、処理部１４０は、実行した処理の結果を表示部１５に表示させる。例えば、ユーザによるスライド操作がなされ場合に、スライド操作の方向に応じて選択したアプリが画像検索アプリの場合、処理部１４０は、画像検索アプリを起動させて表示部１５に表示させるとともに、タッチパネル１００の表示領域に、検索結果を示す複数の画像を表示させる。
【００５３】
アプリ部１５０は、例えば、記憶部１６に記憶されたインストール済みの各種アプリケーションが制御部１０によって実行されることにより実現されるもので、上述した検索アプリやメモ帳アプリ、メールアプリ、ゲームアプリや、撮像アプリなどその他さまざまなアプリケーションが主制御部１１０からの起動指示によって起動される。また、アプリ部１５０は、アプリケーション毎の起動回数を記憶部１６に記憶する。
【００５４】
設定部１６０は、ユーザによるアプリケーションの使用頻度に応じて、スライド操作の方向に関連付けるアプリケーション（ここでは６つのアプリ）を設定する。すなわち、アプリ部１５０によって記憶部１６に記憶されたアプリケーション毎の起動回数から使用頻度を求め、使用頻度の高い順に６つのアプリを選択する。そして、設定部１６０は、選択結果に基づいて、６つアプリのそれぞれと、ユーザによるスライド操作の方向のそれぞれとを関連付けた関連設定情報を記憶部１６に記憶する。こうして、ユーザによるスライド操作の方向とアプリとが１対１で対応付けられて設定される。
【００５５】
また、６つのアプリのそれぞれと、スライド操作の方向のそれぞれとをどのように対応付けるかについては適宜定めることができる。本実施形態では、例えば、アプリの使用頻度の高い順に、真上方向、真下方向、左右斜め上方向、左右斜め下方向と優先順位を定めている。なお、後述するが、設定部１６０は、既に設定されたアイコンＡ〜Ｆの配置を、ユーザの操作に応じて適宜変更することができる。すなわち、携帯端末１は、アイコンＡ〜Ｆの配置をカスタマイズすることができる。かかるカスタマイズについては、後に詳述する。
【００５６】
アプリ表示制御部１７０は、例えば、第１通信部１１を介してサーバ５から取得したウェブサイトが表示部１５に表示されているとする。そのとき、タッチセンサが所定の操作を検出すると、表示部１５（タッチパネル１００）の表示領域の上側および下側に、それぞれ、横長のアイコン列を表示する。すなわち、上下３つずつのアプリを示す画像が、それぞれユーザによるスライド操作の方向に対応する位置に表示される。つまり、アプリ表示制御部１７０は、タッチセンサが所定の操作を検出すると、図１に示す態様でアイコンＡ〜Ｆを表示する。ここで、タッチセンサが検出する所定の操作とは、例えば、ユーザの指Ｆなどによるタッチパネル１００上における長押し操作などである。
【００５７】
例えば、ユーザによる長押し操作などによって所定の処理用情報が選択され、受付部１２０が処理用情報の設定を受け付けた場合、アプリ表示制御部１７０は、図１に示したように、タッチパネル１００の画面上に、それぞれアプリに対応するアイコンＡ〜Ｃ、Ｄ〜Ｆが含まれるアイコン列２２０，２３０を表示する。本実施形態では、イコンＡ〜Ｃ、Ｄ〜Ｆが含まれるアイコン列２２０，２３０をオーバーレイ表示するようにしている。すなわち、受付部１２０が処理用情報の設定を受け付けたことに基づいて、アプリ表示制御部１７０は、処理用情報の設定受付画面に、アイコン列２２０，２３０をオーバーレイ表示する。かかるオーバーレイ表示は、例えば、処理用情報の設定受付画面を表示するレイヤー上に、アイコン列２２０，２３０を表示するレイヤを積層することで表示可能である。また、このとき、アイコン列２２０，２３０を示す画像は透過性を有する画像とすることもできる。
【００５８】
通話制御部１８０は、発呼や着呼のほか、図示しない受話用スピーカや送話用マイクロホンなどの制御を行う。また、通話制御部１８０は、着信があった旨をユーザに通知する着信通知処理を行う。具体的には、通話制御部１８０は、着信を受けた場合に、表示部１５に着信画面を表示させる。
【００５９】
音声認識部１９０は、記憶部１６に記憶されている音声認識アプリが制御部１０によって実行されることにより実現される。音声認識部１９０は、入力部１４の一部をなすマイクロホンにより受け付けられたユーザの発話をテキストデータに変換する処理を行う。
【００６０】
〔３．携帯端末１による情報処理について〕
ここで、本実施形態に係る携帯端末１が行う情報処理の一例、すなわち、検出部１３０によって検出したユーザによるスライド操作の方向に応じたアプリに、ユーザが設定した情報の処理を実行させるまでの処理の流れについて説明する。図４は、実施形態に係る携帯端末１の処理の一例を示すフローチャートである。
【００６１】
図示するように、制御部１０は、先ず、ユーザによる情報の設定を受け付けたか否かを判定する（ステップＳ１０）。ここにおけるユーザによる情報の設定とは、タッチパネル１００の画面上に表示されたテキスト情報の中から、ユーザが所定の操作により情報を選択することである。設定された情報は、テキスト情報であれば、例えば、文字列「ａｂｃｄ」などである（図１を参照）。
【００６２】
ユーザによる情報の設定を受け付けると（ステップＳ１０：Ｙｅｓ）、制御部１０は、記憶部１６に記憶された関連設定情報（図３を参照）を読み出し、スライド操作方向がアプリの配置を示す識別番号［１］に合致するか否かを判定する（ステップＳ２０）。スライド操作方向が識別番号［１］に合致すると判定した場合（ステップＳ２０：Ｙｅｓ）、制御部１０は、識別番号［１］に対応するアプリＡに、ユーザが選択したテキスト情報「ａｂｃｄ」を引き渡す（ステップＳ３０）。その後は、ウェブ検索機能を有するアプリＡにより、テキスト情報「ａｂｃｄ」についてのウェブ検索が行われる。
【００６３】
ステップＳ２０において、スライド操作方向がアプリの配置を示す識別番号［１］に合致しない場合（ステップＳ２０：Ｎｏ）、制御部１０は、スライド操作方向がアプリの配置を示す識別番号［２］に合致するか否かを判定する（ステップＳ４０）。スライド操作方向が識別番号［２］に合致すると判定した場合（ステップＳ４０：Ｙｅｓ）、制御部１０は、識別番号［２］に対応するアプリＢにテキスト情報「ａｂｃｄ」を引き渡す（ステップＳ５０）。その後は、画像検索機能を有するアプリＢにより、テキスト情報「ａｂｃｄ」に関する画像検索が行われる。
【００６４】
ステップＳ４０において、スライド操作方向がアプリの配置を示す識別番号［２］に合致しない場合（ステップＳ４０：Ｎｏ）、制御部１０は、スライド操作方向がアプリの配置を示す識別番号［３］に合致するか否かを判定する（ステップＳ６０）。スライド操作方向が識別番号［３］に合致すると判定した場合（ステップＳ６０：Ｙｅｓ）、制御部１０は、識別番号［３］に対応するアプリＣにテキスト情報「ａｂｃｄ」を引き渡す（ステップＳ７０）。その後は、辞書検索機能を有するアプリＣにより、テキスト情報「ａｂｃｄ」について辞書検索が行われる。
【００６５】
ステップＳ６０において、スライド操作方向がアプリの配置を示す識別番号［３］に合致しない場合（ステップＳ６０：Ｎｏ）、制御部１０は、スライド操作方向がアプリの配置を示す識別番号［４］に合致するか否かを判定する（ステップＳ８０）。スライド操作方向が識別番号［４］に合致すると判定した場合（ステップＳ８０：Ｙｅｓ）、制御部１０は、識別番号［４］に対応するアプリＤにテキスト情報「ａｂｃｄ」を引き渡す（ステップＳ９０）。アプリＤは、メモ帳アプリであり、制御部１０は、メモ帳アプリに対応する画面をタッチパネル１００上に表示するとともに、テキスト情報「ａｂｃｄ」の入力処理を行う。
【００６６】
ステップＳ８０において、スライド操作方向がアプリの配置を示す識別番号［４］に合致しない場合（ステップＳ８０：Ｎｏ）、制御部１０は、スライド操作方向がアプリの配置を示す識別番号［５］に合致するか否かを判定する（ステップＳ１００）。スライド操作方向が識別番号［５］に合致すると判定した場合（ステップＳ１００：Ｙｅｓ）、制御部１０は、識別番号［５］に対応するアプリＥにテキスト情報「ａｂｃｄ」を引き渡す（ステップＳ１１０）。アプリＥは、メールアプリであり、制御部１０は、メールアプリに対応する画面をタッチパネル１００上に表示するとともに、テキスト情報「ａｂｃｄ」を、例えば「件名」の欄に入力する処理を行う。なお、処理を実行するアプリがメールアプリの場合、ユーザにより設定された（選択された）情報は「件名」の欄に入力するのか、あるいは「本文」の欄に入力するのかについては、予め設定しておくものとする。
【００６７】
ステップＳ１００において、スライド操作方向がアプリの配置を示す識別番号［５］に合致しない場合（ステップＳ１００：Ｎｏ）、制御部１０は、スライド操作方向がアプリの配置を示す識別番号［６］に対応するアプリＦにテキスト情報「ａｂｃｄ」を引き渡す（ステップＳ１２０）。アプリＦは、ゲームアプリであり、例えば、テキスト情報「ａｂｃｄ」がゲームの名称であれば、制御部１０が「ａｂｃｄ」という名称のゲームを起動してゲーム画面をタッチパネル１００上に表示する。なお、「ａｂｃｄ」という名称のゲームが存在しない場合、対応するゲームは存在しない旨のメッセージを表示したり、テキスト情報「ａｂｃｄ」が名称に含まれるゲームを起動したり、テキスト情報「ａｂｃｄ」に関連すると推定されるゲームを起動したりすることもできる。
【００６８】
上述してきたように、本実施形態に係る携帯端末１によれば、ユーザの指Ｆの操作により、例えば文字列「ａｂｃｄ」がユーザにより設定された処理用情報として選択され、引き続いて指Ｆによるスライド操作方向に対応するアプリによって、処理用情報である「ａｂｃｄ」に関する処理が実行される。
【００６９】
このように、本実施形態に係る携帯端末１は、所定の情報を所望するアプリに処理させる際に、複数の操作を順次行うのではなく、タッチパネル１００上において、一連の流れのような指Ｆによる操作で処理が可能となるため、操作性を向上させることができる。
【００７０】
前述したように、識別番号［１］〜［６］に対応する６つのアプリは、その使用頻度に応じて設定部１６０により設定されるが、この設定部１６０により、識別番号［１］〜［６］に対応する６つのアプリを適宜入れ替えるカスタマイズが可能である。
【００７１】
すなわち、ユーザは、携帯端末１に７つ以上のアプリがインストールされていれば、その中から必要に応じた６つのアプリを選択して設定することができる。また、アプリ同士をいつでも任意に入れ替えることもできる。このとき、アプリ表示制御部１７０は、カスタマイズ処理に連動して、タッチパネル１００上に表示中のアイコンＡ〜Ｆを移動し、表示態様を変更する。
【００７２】
図５Ａ〜５Ｃは、実施形態に係る携帯端末１のカスタマイズ操作を含む操作例の一部を示す説明図である。
【００７３】
図５Ａ（ａ）に示すように、タッチパネル１００の表示領域内のテキスト表示部２００には、選択された文字列「ａｂｃｄ」が処理用情報として表示されている。また、表示領域の上側にはアイコンＡ〜Ｃが、下側にはアイコンＤ〜Ｆが表示されている。このとき、アイコンＡ〜Ｆで示されるアプリの中に、ユーザにとって、「ａｂｃｄ」の処理に適当なアプリがないと判断した場合、図示するように、表示領域内において、例えば、指Ｆにより長押し操作をする。
【００７４】
入力部１４を兼ねるタッチパネル１００が、指Ｆによる長押し操作による入力を受け付けると、アプリ表示制御部１７０は、図５Ａ（ｂ）に示すように、表示領域の略中央に、テキスト表示部２００に重ねて表示枠３００を表示する。さらに、アプリ表示制御部１７０は、この表示枠３００中に、携帯端末１が有する他のアプリに対応するアイコンを表示する。ここでは、８つのアイコンＧ〜Ｎがアイコン群として表示されている。なお、携帯端末１として、さらに多くのアプリを有する場合、例えば、表示枠３００を左右方向へスワイプするなどの操作を行うことで、次のアイコン群が表示されるようにすることができる。
【００７５】
表示枠３００内に新たに表示された８つのアイコンＧ〜Ｎの中で、「ａｂｃｄ」の処理にアイコンＪに対応するアプリが適切であるとユーザが判断すると、ユーザは、図５Ｂ（ａ）に示すように、指ＦがアイコンＪの上に重なるまで移動して軽く押す。これにより、アイコンＪに対応するアプリが選択される。
【００７６】
次に、ユーザは、図５Ｂ（ｂ）に示すように、指ＦをアイコンＪに重ねた状態で、例えばアイコンＣの位置まで移動して（矢印ｆ参照）指Ｆを離す。すなわち、いわゆる「ドラッグ＆ドロップ」と呼ばれる操作を行う。
【００７７】
かかる操作により、図５Ｃ（ａ）に示すように、これまでアイコンＣが表示されていた位置に、新たにユーザが選択したアイコンＪが表示され、反対にアイコンＪが表示されていた位置にアイコンＣが入れ替わって表示される。そして、かかる状態で、ユーザが指Ｆを用いてタッチパネル１００の表示領域中のいずれかの位置をタップ操作すると、図５Ｃ（ｂ）に示すように、文字列「ａｂｃｄ」が処理用情報として表示された状態（図５Ａ（ａ）参照）に戻る。そして、アイコンＪに対応するアプリに処理用情報「ａｂｃｄ」の処理を行わせるために、ユーザは、アイコンＪに対応付けられた矢印画像２４０に応じて、斜め右上方向に指Ｆをスライド操作する（矢印ｆ参照）。この操作により、アイコンＪに対応するアプリが処理用情報「ａｂｃｄ」に関する処理を実行することになる。なお、このとき、アイコンＪに対応するアプリがこの時点で起動していない場合は、検出部１３０によるスライド操作の検出に基づいてアプリ部１５０が起動させることになる。
【００７８】
なお、アイコンＡ〜Ｃをカスタマイズする際に、上述したようなドラッグ＆ドロップではなく、例えば、所定のアイコン上でタップ操作すれば、他のアイコンが表示されるようにしたり、所定のアイコンを選択した状態でシェイク操作（携帯端末１を振る）すれば他のアイコンに置き換わるなどの処理も採用することができる。
【００７９】
［４．他の実施形態］
上述してきた実施形態においては、処理用情報（例えばテキスト情報である「ａｂｃｄ」）の処理を実行させるアプリを１つとした。しかし、複数のアプリに処理を略同時に実行させることもできる。
【００８０】
例えば、図１に示した状態から、斜め左上方向、直上方向、斜め右上方向、さらには斜め左下方向に指Ｆを連続してスライド操作すると、各操作方向に応じたアプリによる処理が実行されるのである。ここでは、アイコンＡ〜Ｄに応じたアプリが起動して処理を行うことになる。
【００８１】
このとき、図６Ａに示すように、タッチパネル１００に表示される処理画面は、各アプリにそれぞれ対応する複数の表示レイヤＬ１〜Ｌ４で構成される。表示レイヤＬ１〜Ｌ４のうち、表示レイヤＬ１が最下層の表示レイヤであり、ユーザの最初のスライド操作方向である斜め左上方向に位置するアイコンＡに対応するウェブ検索アプリの処理画面が表示されている。
【００８２】
かかる表示レイヤＬ１上に表示レイヤＬ２が積層され、表示レイヤＬ２上に表示レイヤＬ３が積層され、表示レイヤＬ３上に表示レイヤＬ４が積層される。すなわち、ユーザによる最後のスライド操作方向である斜め左下方向に位置するアイコンＤに対応するメモ帳アプリが表示された表示レイヤＬ４が最上層に位置し、視認可能な状態となっている。
【００８３】
処理用情報「ａｂｃｄ」に対するメモ帳アプリによる処理はメモ処理であり、図６Ｂに示すように、表示レイヤＬ４で表されるメモ欄には「ａｂｃｄ」がテキスト表記される。また、表示領域の下部には、新たなメモを入力するための入力キーボード部２５０が表示されており、各キーをタップ操作することによって、適宜テキスト入力することも可能である。
【００８４】
また、ここでは４つのアプリが「ａｂｃｄ」に関する処理を行っている。したがって、図６Ｂに示すように、タッチパネル１００の表示領域の上部にはタブ部２６０が表示されて４つのアプリがタブ表示される。
【００８５】
また、さらなる他の実施形態として、アプリに処理用情報の処理を実行させる際に、ユーザが予め設定した付加情報を加味して処理させるようにすることもできる。すなわち、携帯端末１の制御部１０は、以下の処理を実行する。受付部１２０がユーザによる付加情報の設定を受け付けると、処理部１４０は、検出部１３０によって検出したスライド操作の方向に応じたアプリに処理用情報と付加情報の処理を実行させるのである。
【００８６】
図７は、他の実施形態に係る情報装置としての携帯端末１による検索処理の一例を示す説明図である。図示するように、携帯端末１のタッチパネル１００の表示領域中に表示された選択範囲２１０の中に、ユーザによる設定情報の一例である「飛行機」という文字列が含まれているとする。すなわち、制御部１０の受付部１２０が、ユーザにより選択された「飛行機」という文字列をユーザにより設定された処理用情報として受け付けた状態とする。
【００８７】
他方、アプリが検索アプリであった場合、図示するように、アプリ部１５０における検索条件テーブルの付加情報欄２７０には、ユーザが予め設定してあった付加情報が登録されている。付加情報として登録されるのは、主に、ユーザが検索時に関連付ける情報である。例えば、特許に関する検索を頻繁に行うユーザであれば、図示するように、「特許」というテキスト情報が付加情報として登録されている。
【００８８】
そして、これまで説明したように、「飛行機」という処理用情報が受付けられている状態で、ユーザが所望するアプリに対応するアイコンの方向に向けて指Ｆをスライド操作すると、所望するアプリによる処理が開始される。すなわち、図示するように、検索条件テーブル内に、処理用情報（選択された「飛行機」というテキスト情報）が登録される。
【００８９】
こうして、検索アプリは、検索条件テーブルに登録された「特許」と「飛行機」という情報に基いて、両者が関連する情報を検索結果として表示する。例えば、飛行機に関連した特許申請に関する情報などが検索結果として表示される。したがって、ユーザが設定した情報と、やはりユーザが設定した付加情報とを併せた処理を簡単な操作で実行させることができる。
【００９０】
［５．ハードウェア構成およびプログラム］
なお、実施形態における携帯端末１は、例えば、図８に示すような構成のコンピュータ７０によって実現される。図８は、携帯端末１の機能を実現するコンピュータの一例を示すハードウェア構成図である。コンピュータ７０は、ＣＰＵ７１、ＲＡＭ７２、ＲＯＭ（Read  Only  Memory）７３、通信インターフェース（Ｉ／Ｆ）７５、入出力インターフェース（Ｉ／Ｆ）７６、およびメディアインターフェース（Ｉ／Ｆ）７７を備える。
【００９１】
ＣＰＵ７１は、ＲＯＭ７３に格納されたプログラムに基づいて動作し、各部の制御を行う。ＲＯＭ７３は、コンピュータ７０の起動時にＣＰＵ７１によって実行されるブートプログラムや、コンピュータ７０のハードウェアに依存するプログラムなどを格納する。
【００９２】
通信インターフェース（Ｉ／Ｆ）７５は、第１通信部１１や第２通信部１２に対応し、通信ネットワークを介して他の機器からデータを受信してＣＰＵ７１へ送り、ＣＰＵ７１が生成したデータを、通信ネットワークを介して他の機器へ送信する。
【００９３】
ＣＰＵ７１は、入出力インターフェース（Ｉ／Ｆ）７６を介して、ディスプレイなどの出力装置、および、各種ボタンなどの入力装置を制御する。ＣＰＵ７１は、入出力インターフェース７６を介して、入力装置からデータを取得する。また、ＣＰＵ７１は、生成したデータを、入出力インターフェース７６を介して出力装置へ出力する。
【００９４】
メディアインターフェース７７（Ｉ／Ｆ）は、記録媒体７８に格納されたプログラムまたはデータを読み取り、ＲＡＭ７２を介してＣＰＵ７１に提供する。ＣＰＵ７１は、当該プログラムを、メディアインターフェース７７を介して記録媒体７８からＲＡＭ７２上にロードし、ロードしたプログラムを実行する。記録媒体７８は、例えば、磁気記録媒体や半導体メモリなどである。
【００９５】
コンピュータ７０が携帯端末１として機能する場合、コンピュータ７０のＣＰＵ７１は、ＲＡＭ７２上にロードされたプログラムを実行することにより、主制御部１１０、受付部１２０、検出部１３０、処理部１４０、アプリ部１５０、設定部１６０、アプリ表示制御部１７０、通話制御部１８０、音声認識部１９０の機能を実現する。また、また、ＲＯＭ７３には、記憶部１６内のデータが格納される。
【００９６】
コンピュータ７０のＣＰＵ７１は、これらのプログラムを、記録媒体７８から読み取って実行するが、他の例として、他の装置から、通信ネットワークを介してこれらのプログラムを取得してもよい。
【００９７】
［６．効果］
実施形態に係る携帯端末１は、受付部１２０と、検出部１３０と、処理部１４０とを備える。受付部１２０は、ユーザによる情報の設定を受け付ける。検出部１３０は、受付部１２０によって情報を受け付けた後のユーザによるスライド操作（スワイプ操作またはフリック操作）を検出する。処理部１４０は、検出部１３０によって検出したスライド操作の方向に応じたアプリケーションに情報の処理を実行させる。
【００９８】
このように、実施形態に係る携帯端末１では、ユーザが設定した情報（処理用情報）をアプリケーションに処理させる際のユーザの操作負担が軽減される。
【００９９】
また、携帯端末１は、複数のアプリケーションのそれぞれとユーザによるスライド操作の方向のそれぞれとを関連付ける関連設定情報を記憶する記憶部１６を備え、処理部１４０は、記憶部１６に記憶された関連設定情報に基づき、検出部１３０によって検出したスライド操作の方向に応じたアプリケーションを選択する。
【０１００】
これにより、ユーザは、極めて簡単な操作で、複数のアプリケーションの中から所望するアプリケーションを選択することができる。
【０１０１】
また、携帯端末１は、ユーザによるアプリケーションの使用頻度に応じてスライド操作の方向に関連付けるアプリケーションを決定し、当該決定した結果に基づいて関連設定情報を記憶部１６に記憶する設定部１６０を備える。
【０１０２】
これにより、ユーザにとっては、使用頻度の高いアプリケーションによる処理を簡単な操作で行えるようになり、操作性がさらに向上する。
【０１０３】
また、携帯端末１は、表示部１５の表示領域のうちユーザによるスライド操作の方向に対応する位置にアプリケーションを示す画像（アイコン）を表示するアプリ表示制御部１７０を備える。
【０１０４】
これにより、直感的な簡単な操作で所望するアプリケーションに所定の処理を実行させることができる。
【０１０５】
また、携帯端末１のアプリ表示制御部１７０は、ユーザによる情報の設定が受付部１２０によって受け付けられた場合、アプリケーションを示す画像を表示部１５に表示する。
【０１０６】
これにより、必要時にアプリケーションを示す画像が表示されるため、通常表示されている画面の視認性を画像が低下させるおそれがなく、なおかつ、ユーザは、自身で設定した処理用情報をどのアプリケーションに処理させるかの選択を直感的に行うことが可能となる。
【０１０７】
また、携帯端末１のアプリ表示制御部１７０は、所定の条件に応じて、アプリケーションを示す画像（アイコン）の表示部１５への表示態様を変更する。
【０１０８】
これにより、例えば、ユーザがアプリケーションに対応する画像についてカスタマイズした場合、カスタマイズに応じて表示部１５上での画像の表示態様も自動的に変更されるようになり、ユーザの負担が軽減される。
【０１０９】
また、携帯端末１のアプリ表示制御部１７０は、スライド操作の方向を示す画像（例えば、矢印画像２４０）を、画像に対応付けて表示部１５に表示する。
【０１１０】
これにより、ユーザはスライド操作方向を誤るおそれが少なくなるため、操作性の向上に寄与する。
【０１１１】
また、受付部１２０は、ユーザによる付加情報の設定を受け付け、処理部１４０は、検出部１３０によって検出したスライド操作の方向に応じたアプリケーションにユーザが設定した情報と付加情報の処理を実行させる。
【０１１２】
これにより、ユーザが設定した情報とユーザが設定した付加情報との処理を、簡単な操作で実行させることができる。
【０１１３】
また、処理部１４０は、アプリケーションによる情報の処理結果を表示部１５に表示させる。
【０１１４】
これにより、アプリによる処理結果を自動的に表示することができ、ユーザの利便性を向上させることができる。
【０１１５】
［７．その他］
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１１６】
例えば、上述した実施形態では、ユーザによるスライド操作（スワイプ操作またはフリック操作）の方向に対応するアプリは一つであったが、同じスライド方向に複数のアプリを割り付けておき、スライド操作の回数で選択されるアプリを異ならせるようにすることもできる。
【０１１７】
また、スライド操作であるスワイプ操作とフリック操作とを識別し、いずれの操作がなされたかによって、選択されるアプリを異ならせるようにすることもできる。
【０１１８】
また、上述した実施形態では、アプリに対応する複数のアイコンを、表示部１５の表示領域の上側と下側とに横一列に配置したが、表示部１５におけるアイコン表示を、右手操作用と左手操作用とに設定可能とし、左手操作用であれば、表示部１５の右側の操作領域にもアイコンを表示することができる。当然ではあるが、右手操作用であれば、表示部１５の左側の操作領域にもアイコンを表示するのである。つまり、表示部１５において、アイコンをコ字状に複数配置するのである。
【０１１９】
また、上述してきた「部（section、module、unit）」は、「手段」や「回路」などに読み替えることができる。例えば、受付部は、受付手段や受付回路に読み替えることができる。
【符号の説明】
【０１２０】
１  携帯端末
１６  記憶部
１２０  受付部
１３０  検出部
１４０  処理部
１６０  設定部
１７０  アプリ表示制御部
【図１】
0006786197.tif 000002
【図２】
0006786197.tif 000003
【図３】
0006786197.tif 000004
【図４】
0006786197.tif 000005
【図５Ａ】
0006786197.tif 000006
【図５Ｂ】
0006786197.tif 000007
【図５Ｃ】
0006786197.tif 000008
【図６Ａ】
0006786197.tif 000009
【図６Ｂ】
0006786197.tif 000010
【図７】
0006786197.tif 000011
【図８】
0006786197.tif 000012